(57)【要約】      （修正有）【課題】繰り返し折り畳み、組み立て可能なフェイスガード構造、ピボット構造を有し、フリップカバー機能を備えた保護マスクを提供する。【解決手段】組み立て前はシート体状を呈し、マスク部１１と、ヘッドバンド部１２と、少なくとも２つのピボット１３と、を備えた保護マスク１は、各部に複数組の係合構造が成形され、係合構造により組み立て及び固定を完了する。また、保護マスクは組み立て完了後に、マスク部及びヘッドバンド部がピボットを介して装設され、マスク部がユーザーの顔との間に適度な間隔を空けることで通気目的及びフリップカバー機能を達成している。また、マスク部に少なくとも２つのシェード１１２４が成形され、各シェードは内側に折曲された後に下顎部位を遮蔽し、下顎部位に対する遮蔽保護効果を強化している。マスク部には通気孔１１３３が成形され、着用時の全体的な通気性を高めている。【選択図】図２
0003234779.tif 000002
【実用新案登録請求の範囲】
【請求項１】
第一マスクと、第二マスクと、接続部とを有し、前記第一マスクには少なくとも１対の第一係合孔及び１対の第一ピボット穴が成形され、前記第二マスクには少なくとも１つの第一係合部及び少なくとも２つの外挿式留め具が成形され、前記接続部は前記第一マスクと前記第二マスクとの間に成形されているマスク部と、
第一ヘッドバンド及び第二ヘッドバンドを有し、前記第一ヘッドバンドには少なくとも２つの孔部及び１対の第二ピボット穴が成形され、前記第二ヘッドバンドには少なくとも２つのスナップ及び少なくとも２つの対応スナップが成形され、前記スナップは前記孔部を貫通すると共に前記対応スナップに係合されるヘッドバンド部と、
前記第一ピボット穴と前記第二ピボット穴との間に装設される少なくとも２つのピボットと、を備え、
前記第二マスクは前記接続部により前記第一マスクに対し折曲し、前記外挿式留め具が前記接続部下方に係合され、且つ前記第一係合部により前記第一係合孔に係合され、前記第二マスクが外から押されて前記第一マスクに固定されることを特徴とする保護マスク。
【請求項２】
前記マスク部下端には１つまたは複数のシェードが成形され、且つ前記第二マスクの両側下端には第二係合孔がそれぞれ成形され、前記シェードが前記第二係合孔に係合されることを特徴とする請求項１に記載の保護マスク。
【請求項３】
前記第一マスクの両側下端には１つまたは複数の凸部がそれぞれ成形され、前記第二マスクの両側上端には前記凸部に対する１つまたは複数の凹部がそれぞれ成形されていることを特徴とする請求項１に記載の保護マスク。
【請求項４】
前記接続部の中心部には通気孔が成形されていることを特徴とする請求項１に記載の保護マスク。
【請求項５】
前記第二ヘッドバンドは編み込み構造、織り込み構造、ゴムバンドのうちの１種類またはそれらの組み合わせであることを特徴とする請求項１に記載の保護マスク。
【請求項６】
前記ピボットはシリコンゴムガスケット、プラスチックラチェット、磁気吸着部材、係合部材のうちの１種類またはそれらの組み合わせであることを特徴とする請求項１に記載の保護マスク。
【請求項７】
前記第一ヘッドバンドの内面にはパッドが装設されていることを特徴とする請求項１に記載の保護マスク。
【請求項８】
前記マスク部の表面には抗UV層が敷設されていることを特徴とする請求項１に記載の保護マスク。
【請求項９】
前記第一ヘッドバンドの表面には抗UV層が敷設されていることを特徴とする請求項１に記載の保護マスク。
【考案の詳細な説明】
【技術分野】
【０００１】
本考案は、マスクに関し、より詳しくは、折って組み立てた後に、被覆性を有し、繰り返し折り畳みできるように成形され、フリップカバー機能を有している保護マスクに関する。
【背景技術】
【０００２】
予防医学分野には主に健康促進及び疾病予防が含まれる。特にグローバル化と交通手段の日進月歩の発展により、疾病の感染拡大速度が以前にも増して速まっている。疾病の各感染経路において飛沫感染が特に目立ち、「飛沫感染」とは、人同士の会話、くしゃみ、咳等により、大きな粒径（５μm超）の飛沫が形成され、飛沫の飛散距離が約1mに達することを指す。飛沫にウイルス等の病原体が含まれている場合、近距離での接触による感染確率が高まる。飛沫感染の防止は一般的な医療用マスクを着用して感染者が咳により病原体を他人に感染させるのを防止する以外、人と人とが接触して会話する際に少なくとも1m以上の距離を保持し、感染リスクを減らすことが求められている。
【考案の概要】
【考案が解決しようとする課題】
【０００３】
しかしながら、室内空間で人々が互いに会話する場合、1m以上の距離を維持することは難しく、また、一般的な医療用マスクは好ましい飛沫感染防止効果を有しているが、マスクは蒸れやすく、重複使用は不可能であった。また、顔の上半分にはいかなる保護効果も与えられない等の欠点もあった。そこで、本考案者は上記のマスクの欠点が改善可能と考え、鋭意検討を重ねた結果、合理的設計で上記の課題を効果的に改善する本考案の提案に至った。
【０００４】
本考案は、上記問題点に鑑みて本考案者の鋭意研究により成されたものであり、その目的は、繰り返し折り畳み及び折って組み立て可能なフェイスガード構造であり、ピボット構造を有し、フリップカバー機能を備えている保護マスクを提供することにある。
【課題を解決するための手段】
【０００５】
上記課題を解決するために、本考案の一態様の保護マスクは、マスク部と、ヘッドバンド部と、少なくとも２つのピボットと、を備えている。マスク部には第一マスク、第二マスク、及び接続部が成形され、第一マスクには少なくとも２つの第一係合孔が成形され、第二マスクには少なくとも２つの第一係合部及び少なくとも２つの外挿式留め具が成形されている。組み立てる場合、両側の外挿式留め具を接続部下方に係合し、且つ両側の第一係合部及び両側の第一係合孔を相互に係合すると、第二マスクが第一マスクから外に押し出され、第二マスクがユーザーの顔との間に適度な間隔を空けるようにすることで従来のマスクの蒸れやすいという欠点を改善する。また、第二マスクの下端には左右対称になる複数のシェードが成形され、第二マスクの下端の両側には第二係合孔がそれぞれ成形され、各シェードの両側には第二係合部がそれぞれ成形されている。シェードは内側に折曲された後、各第二係合孔及び対応する位置にある各第二係合部が相互に係合されて固定され、各シェードが内側に折曲されて固定され、内側に折曲されたバリケード態様が形成され、ユーザーの下顎部位を被覆し、顔及び下顎が全てマスク部により遮蔽され、ユーザーの顔及び下顎が完全に保護される。また、第一マスクの両側には少なくとも２つの第一ピボット穴が成形され、ヘッドバンド部には第一ヘッドバンドが成形され、その両側には少なくとも２つの第二ピボット穴が成形され、両側の第一ピボット穴及び両側の第二ピボット穴はピボットを介してそれぞれ装設され、ヘッドバンド部がフリップカバー機能を有している。
【０００６】
本明細書及び図面の記載により、少なくとも、以下の事項が明らかとなる。
【図面の簡単な説明】
【０００７】
【図１】本考案の保護マスクを示す概略構成図（一）である。
【図２】本考案の保護マスクを示す分解概略図（一）である。
【図３】本考案の保護マスクを示す分解概略図（二）である。
【図４】本考案の一実施例に係る保護マスクを示す概略図（一）である。
【図５】本考案の一実施例に係る保護マスクを示す概略図（二）である。
【図６】本考案の他の実施例に係る保護マスクを示す概略図（一）である。
【図７】本考案のさらなる他の実施例に係る保護マスクを示す概略図（二）である。
【考案を実施するための形態】
【０００８】
以下に図面を参照して、本考案を実施するための形態について、詳細に説明する。なお、本考案は、以下に説明する実施形態に限定されるものではない。
【０００９】
本考案に係る保護マスク１は、マスク部１１と、ヘッドバンド部１２と、少なくとも２つのピボット１３と、を備えている（図１参照）。以下、図２と図３を併せて参照しながら、本考案をさらに詳しく説明する。
＜マスク部＞
【００１０】
まず、マスク部１１は、第一マスク１１１と、第二マスク１１２と、接続部１１３と、を備えている。接続部１１３は、第一マスク１１１と第二マスク１１２との間に成形され、第一マスク１１１及び第二マスク１１２は接続部１１３により接続されてシート体状が形成されている。第一マスク１１１及び第二マスク１１２は一体成形され、切断方式により接続部１１３が形成されている。第一マスク１１１には少なくとも２つの第一係合孔１１１１及び少なくとも２つの第一ピボット穴１１１２が成形され、好ましくは、第一係合孔１１１１は対となる第一係合孔１１１１であり、第一ピボット穴１１１２は対となる第一ピボット穴１１１２であり、第一係合孔１１１１及び第一ピボット穴１１１２は共に第一マスク１１１の両端に成形されている。接続部１１３と第一マスク１１１との間には上折線１１３１が成形され、接続部１１３と第二マスク１１２との間には下折線１１３２が成形され、接続部１１３の中心部には通気孔１１３３が成形されている。また、第二マスク１１２には少なくとも２つの第一係合部１１２１が成形され、好ましくは、第一係合部１１２１は対となる第一係合部１１２１であり、第一係合部１１２１は第二マスク１１２の両側の上端にそれぞれ延伸されるように成形されている。第二マスク１１２の上端には少なくとも２つの外挿式留め具１１２２が成形され、好ましくは、外挿式留め具１１２２は対となる外挿式留め具１１２２である。第二マスク１１２の下端には少なくとも２つの第二係合孔１１２３が成形され、好ましくは、第二係合孔１１２３は対となる第二係合孔１１２３であり、第二係合孔１１２３は第二マスク１１２の下端両側にそれぞれ成形されている。第二マスク１１２の下端には少なくとも２つのシェード１１２４が成形され、好ましくは、シェード１１２４は対となるシェード１１２４である。シェード１１２４には少なくとも２つの第二係合部１１２４１が成形され、好ましくは、第二係合部１１２４１は対となる第二係合部１１２４１であり、第二係合部１１２４１はシェード１１２４の両側にそれぞれ成形され、同側の第二係合部１１２４１及び第二係合孔１１２３は相互に係合されるように固定されている。また、第一マスク１１１の両側の下端には凸部１１１３が成形され、第二マスク１１２の両側の上端には凸部１１１３に対する凹部１１２５が成形され、両側の第一係合部１１２１及び第一マスク１１１の両側の第一係合孔１１１１が相互に係合された後、凸部１１１３及び凹部１１２５が相互に当接され、第二マスク１１２が第一マスク１１１から外に押し出される。
＜ヘッドバンド部＞
【００１１】
ヘッドバンド部１２は、第一ヘッドバンド１２１及び第二ヘッドバンド１２２を備え、第一ヘッドバンド１２１には少なくとも２つの孔部１２１１及び少なくとも２つの第二ピボット穴１２１２が成形され、好ましくは、孔部１２１１は対となる孔部１２１１であり、第二ピボット穴１２１２は対となる第二ピボット穴１２１２である。孔部１２１１及び第二ピボット穴１２１２は共に第一ヘッドバンド１２１の両端に成形されている。第二ヘッドバンド１２２には少なくとも２つのスナップ１２２１及び少なくとも２つの対応スナップ１２２２が成形され、好ましくは、スナップ１２２１は対となるスナップ１２２１であり、対応スナップ１２２２は対となる対応スナップ１２２２である。スナップ１２２１及び対応スナップ１２２２は共に第二ヘッドバンド１２２の両端に成形され、同側のスナップ１２２１及び対応スナップ１２２２は相互に係合されるように固定されている。また、第二ヘッドバンド１２２は軟性及び／または弾性を有している編み込み構造、織り込み構造、ゴムバンド等のうちの１種類またはそれらの組み合わせである。
【００１２】
マスク部１１の第一ピボット穴１１１２及びヘッドバンド部１２の第二ピボット穴１２１２は少なくとも２つのピボット１３を介して装設され、好ましくは、ピボット１３は対となるピボット１３である。ピボット１３は表面に摩擦力を有しているシリコンゴムガスケット、角度に基づいて係合固定し調節するためのプラスチックラチェット、磁気吸着により枢動を形成する磁気吸着部材、係合により枢動を形成する係合部材等のうちの１種類またはそれらの組み合わせである。
【００１３】
次に、図４を参照し、図２と図３を併せて参照し、本考案はマスク部１１を組み立てる場合、ユーザーが接続部１１３の上折線１１３１及び下折線１１３２を凹むように折り、第二マスク１１２の両側の外挿式留め具１１２２を接続部１１３下方に係合し、且つ両側の第一係合部１１２１及び第一マスク１１１の両側の第一係合孔１１１１を相互に係合した後、凸部１１１３及び凹部１１２５を相互に当接させ、第二マスク１１２が第一マスク１１１から外に押し出され、第二マスク１１２が外に押し出された態様を維持する。また、第二マスク１１２の下端に成形されている各シェード１１２４を内側に折曲した後、第一係合部１１２１及び第一係合孔１１１１が相互に係合され、第二マスク１１２がやや湾曲状を呈し、第二係合部１１２４１及び第二係合孔１１２３が相互に係合され、第二マスク１１２が内側に湾曲する態様を呈する。ヘッドバンド部１２を組み立てる場合、ユーザーは第二ヘッドバンド１２２のスナップ１２２１を第一ヘッドバンド１２１の孔部１２１１に貫通させ、この際、両側のスナップ１２２１を隣接する対応スナップ１２２２にそれぞれ係合し、ヘッドバンド部１２を中空環状にする。また、ユーザーはヘッドバンド部１２を頭部に装着するのみで保護マスク１の着用が完了する。第一マスク１１１の両側に成形されている第一ピボット穴１１１２及び第一ヘッドバンド１２１の両側に成形されている第二ピボット穴１２１２はピボット１３を介して装設され、ヘッドバンド部１２がフリップカバー機能を有している。
【００１４】
次に、図５を参照し、図１乃至図４を併せて参照し、ユーザーは保護マスク１を組み立てた後、自身の頭囲に合わせてスナップ１２２１を孔部１２１１に係合する位置に調整し、ヘッドバンド部１２のサイズを着用に最適なサイズに調整する。また、マスク部１１が外に押し出される態様を呈し、マスク部１１とユーザーの顔との間に適度な間隔を空け、ユーザーが呼吸する際に保護マスク１が曇らないようにしている。また、通気孔１１３３により猛暑の環境でも通気目的を達成させている。また、シェード１１２４を内側に折曲した後に下顎部位を被覆し、第一係合部１１２１及び第一係合孔１１１１並びに第二係合部１１２４１及び第二係合孔１１２３を相互に係合し、マスク部１１が内側に湾曲する態様を呈し、ユーザーの顔を被覆して顔が保護マスク１により完全に保護及び遮蔽されるようにし、唾がマスク部１１の側辺の隙間やマスク部１１下方から侵入しないようにしている。また、第一ピボット穴１１１２及び第二ピボット穴１２１２はピボット１３を介して装設され、保護マスク１がフリップカバー機能を有し、利便性が向上している。
【００１５】
図６を参照し、保護マスク１は第一ヘッドバンド１２１に装設されているパッド１２１３をさらに備え、これは各種スポンジ、シリコンゴム、織物の繊維のうちの１種類の材料またはそれらの組み合わせであるが、但しこれらに限られない。パッド１２１３は柔軟性及び吸湿性を有し、ユーザーが保護マスク１を着用する際に快適性を高め、且つ汗を効果的に吸収し、ユーザーに好ましい着用体験を提供する。
【００１６】
図７を参照し、保護マスク１は吹き付け塗装、塗布、印刷等の方法によりマスク部１１及び／または第一ヘッドバンド１２１の表面に抗UV層Ｌが敷設されている。抗UV層Ｌは紫外線（Ultra Violet, UV）を反射し、ユーザーが保護マスク１を着用する際に顔の日焼け防止及び目を紫外線から保護する効果を有し、保護マスク１の保護効果を高めている。
【００１７】
結論として、本考案に係る保護マスクは、組み立て前にはシート体状を呈し、マスク部と、ヘッドバンド部と、少なくとも２つのピボットと、を備えている。保護マスクの各部位に成形されている係合固定構造により、保護マスクの組み立てが完了すると、第二マスクが第一マスクから押し出され、第一マスクの第一ピボット穴及び第一ヘッドバンドの第二ピボット穴がピボットを介して装設され、ユーザーの顔との間に適度な間隔を空け、保護マスクが優れた唾の飛散を防止する能力及びフリップカバー機能を有し、ユーザーに好ましい着用体験を提供する。これにより、本考案を実施後に、折り畳み及び折曲組み立てが容易な保護マスクを提供する目的を達成し、且つユーザーの顔を効果的に保護し、唾が飛ぶことによる疾病感染のリスクを回避している。また、従来の保護用具の着用に起因する蒸れ及び不快感の問題を解決し、且つ利便性を向上している。このように、本考案を実施した後、特に繰り返し折り畳み及び折曲組み立てが可能なフェイスガード構造の保護マスクを提供し、且つピボット構造を有し、フリップカバー機能を備えている保護マスクを提供する目的を達成している。
【００１８】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【００１９】
１  保護マスク
１１            マスク部
１１１  第一マスク
１１１１  第一係合孔
１１１２  第一ピボット穴
１１１３  凸部
１１２  第二マスク
１１２１  第一係合部
１１２２  外挿式留め具
１１２３  第二係合孔
１１２４  シェード
１１２４１  第二係合部
１１２５  凹部
１１３  接続部
１１３１  上折線
１１３２  下折線
１１３３  通気孔
１２  ヘッドバンド部
１２１  第一ヘッドバンド
１２１１  孔部
１２１２  第二ピボット穴
１２１３  パッド
１２２  第二ヘッドバンド
１２２１  スナップ
１２２２  対応スナップ
１３  ピボット
Ｌ  抗UV層
【図１】
0003234779.tif 000003
【図２】
0003234779.tif 000004
【図３】
0003234779.tif 000005
【図４】
0003234779.tif 000006
【図５】
0003234779.tif 000007
【図６】
0003234779.tif 000008
【図７】
0003234779.tif 000009